(57)【特許請求の範囲】
【請求項１】
原稿の全体を露光走査する機能によって該原稿の全体の画像を読み取り、且つ、該原稿の一部領域を露光走査する機能によって該一部領域に付されている、所定の識別情報に対応した画像を読み取る読取手段と、該読取手段によって読み取られた画像を用紙に形成する画像形成手段と、ユーザーによる入力操作によって所定の指示情報が入力される入力手段とを備える画像形成装置であって、
上記入力手段に対する入力操作によって上記識別情報の読取指示がなされない状態で上記原稿の読取指示がなされた場合には、上記原稿の全体に対する露光走査によって上記読取手段に読み取らせた上記原稿の全体の画像を、固有の上記識別情報と対応させて記憶手段に記憶させ且つ該画像を上記画像形成手段に形成させる処理を実施し、
上記入力手段に対する入力操作によって上記識別情報の読取指示がなされた状態で上記原稿の読取指示がなされた場合には、上記読取手段に上記原稿の上記一部領域を露光走査させて上記一部領域を読み取らせる処理を実施し、
上記一部領域を読み取らせる処理により、上記識別情報に対応する画像が上記一部領域に存在することが判明し、且つ該画像のデータが上記記憶手段に記憶されている場合には、該画像のデータを上記記憶手段から読み込んで該画像を上記画像形成手段に形成させる処理を実施し、
上記一部領域を読み取らせる処理により、上記識別情報に対応する画像が上記一部領域に存在しないことが判明した場合、及び上記一部領域を読み取らせる処理で読み取られた画像によって示される上記識別情報と同一のものが上記記憶手段に記憶されていない場合、には、上記原稿の全体に対する露光走査を上記読取手段に行わせ、該露光走査によって読み取られた上記原稿の全体の画像を上記画像形成手段に形成させる処理を実施することを特徴とする画像形成装置。
【請求項２】
請求項１の画像形成装置であって、
上記一部領域を読み取らせる処理によって上記識別情報に対応する画像が上記一部領域に存在しないことが判明した場合、及び上記一部領域を読み取らせる処理によって読み取られた画像で示される上記識別情報が上記記憶手段に記憶されていない場合、上記原稿の全体に対する露光走査によって読み取られた画像を、固有の識別情報に対応づけて上記記憶手段に記憶させる処理を実施することを特徴とする画像形成装置。
【請求項３】
上記原稿の全体に対する露光走査によって読み取られた画像のデータに基づいて画像形成処理を実行するモードと、上記一部領域に対する露光走査によって読み取られた、上記識別情報を示す画像、及び該識別情報に対応し且つ上記記憶手段に記憶されている画像を組み合わせた画像のデータに基づいて画像形成処理を実行するモードとのいずれか一方を設定する取得モード設定手段を設けたことを特徴とする請求項１または２記載の画像形成装置。
【請求項４】
上記一部領域を読み取らせる処理によって上記識別情報に対応する画像が上記一部領域に存在しないことが判明した場合に、露光走査用のキャリッジを副走査方向に前記所定距離移動させる毎に上記原稿を露光走査することを特徴とする請求項１、２または３記載の画像形成装置。
【請求項５】
上記キャリッジを移動させるときの上記所定距離は、移動する前の上記キャリッジの位置から１０ｍｍ以内であることを特徴とする請求項４記載の画像形成装置。
【請求項６】
上記入力手段に対する入力操作によって上記識別情報の読取指示がなされた場合、上記キャリッジを固定して露光走査する主走査モードと、上記キャリッジを副走査方向に所定範囲走行させて露光走査する副走査モードとを切り替え自在に設定する走査モード設定手段を設けたことを特徴とする請求項１、２、３、４または５記載の画像形成装置。
【発明の詳細な説明】
【０００１】
【発明の属する技術分野】
本発明は、画像形成装置に関する。
【０００２】
【従来の技術】
従来、パーソナルコンピュータ等の外部機器から送信された画像データに基づいた画像を用紙に形成して出力するようにした画像形成装置がある。
【０００３】
特開平１０−１５１８２１号公報には、予め用紙に付された識別情報を専門に読み取る識別情報読取部と、送信された画像データとこの画像データを識別するための識別情報とを対応づけて記憶する記憶装置とを設けて、パーソナルコンピュータ等の外部機器から識別情報が対応づけられた画像データが送信された場合には、識別情報を組み合わせた画像を用紙に形成するとともに、識別情報読取部において識別情報を読み取った場合には、記憶装置から検索した画像データに基づく画像を用紙に形成するようにした画像形成装置が開示されている。
【０００４】
同公報に開示された技術によれば、一度送信された画像データを記憶装置で記憶管理して、以降の画像形成に際しては、記憶されている画像データに基づいて画像を形成することで、パーソナルコンピュータ等の外部機器から同じ画像データを改めて送信する必要がなくなるため、画像形成に要する時間を短縮することができる。
【０００５】
【発明が解決しようとする課題】
ところが、上述したように、パーソナルコンピュータ等の外部機器から送信された画像データに基づいた画像を形成する画像形成装置では識別情報に基づいて画像データを管理することで画像形成に要する時間を短縮することができるが、原稿画像を読み取るための光学系部品が搭載されたキャリッジを走行させて露光走査した画像を形成する画像形成装置である場合には画像形成に要する時間を短縮することができない。
【０００６】
本発明は、画像形成にかかる所用時間を短縮して、処理速度の向上を図ることができる画像形成装置を得ることを目的とする。
【０００７】
【課題を解決するための手段】
請求項１記載の発明の画像形成装置は、原稿の全体を露光走査する機能によって該原稿の全体の画像を読み取り、且つ、該原稿の一部領域を露光走査する機能によって該一部領域に付されている、所定の識別情報に対応した画像を読み取る読取手段と、該読取手段によって読み取られた画像を用紙に形成する画像形成手段と、ユーザーによる入力操作によって所定の指示情報が入力される入力手段とを備える画像形成装置であって、上記入力手段に対する入力操作によって上記識別情報の読取指示がなされない状態で上記原稿の読取指示がなされた場合には、上記原稿の全体に対する露光走査によって上記読取手段に読み取らせた上記原稿の全体の画像を、固有の上記識別情報と対応させて記憶手段に記憶させ且つ該画像を上記画像形成手段に形成させる処理を実施し、上記入力手段に対する入力操作によって上記識別情報の読取指示がなされた状態で上記原稿の読取指示がなされた場合には、上記読取手段に上記原稿の上記一部領域を露光走査させて上記一部領域を読み取らせる処理を実施し、上記一部領域を読み取らせる処理により、上記識別情報に対応する画像が上記一部領域に存在することが判明し、且つ該画像のデータが上記記憶手段に記憶されている場合には、該画像のデータを上記記憶手段から読み込んで該画像を上記画像形成手段に形成させる処理を実施し、上記一部領域を読み取らせる処理により、上記識別情報に対応する画像が上記一部領域に存在しないことが判明した場合、及び上記一部領域を読み取らせる処理で読み取られた画像によって示される上記識別情報と同一のものが上記記憶手段に記憶されていない場合、には、上記原稿の全体に対する露光走査を上記読取手段に行わせ、該露光走査によって読み取られた上記原稿の全体の画像を上記画像形成手段に形成させる処理を実施することを特徴とするものである。
【０００８】
したがって、識別情報の読取指示がなされない状態で上記原稿の読取指示がなされた場合には、読取手段によって原稿の一部領域が露光走査されて部分画像データが取得される。そして、部分画像データに識別情報が含まれていないと判断されたり、部分画像データに含まれている識別情報と同一のものが記憶手段に記憶されていないと判断されたりすると、露光走査した原稿の全体の画像が画像データとされて、その画像データを特定する識別情報が対応づけられて記憶手段に記憶される。また、上記入力手段に対する入力操作によって上記識別情報の読取指示がなされない状態で上記原稿の読取指示がなされた場合に、部分画像データに含まれている識別情報と同一のものが記憶手段に記憶されていると判断されると、その識別情報に対応づけられた画像データが形成画像データとして記憶手段から取得され、画像形成手段によってその形成画像データに基づいた画像が形成される。これによって、以前に露光走査した原稿の画像を形成する場合には、原稿の全体を露光走査せずに、記憶手段に記憶されている画像データに基づいて画像を形成することが可能になる。
【０００９】
請求項２記載の発明は、請求項１の画像形成装置であって、上記一部領域を読み取らせる処理によって上記識別情報に対応する画像が上記一部領域に存在しないことが判明した場合、及び上記一部領域を読み取らせる処理によって読み取られた画像で示される上記識別情報が上記記憶手段に記憶されていない場合、上記原稿の全体に対する露光走査によって読み取られた画像を、固有の識別情報に対応づけて上記記憶手段に記憶させる処理を実施することを特徴とするものである。
【００１１】
請求項３記載の発明は、請求項１または２記載の画像形成装置において、上記原稿の全体に対する露光走査によって読み取られた画像のデータに基づいて画像形成処理を実行するモードと、上記一部領域に対する露光走査によって読み取られた、上記識別情報を示す画像、及び該識別情報に対応し且つ上記記憶手段に記憶されている画像を組み合わせた画像のデータに基づいて画像形成処理を実行するモードとのいずれか一方を設定する取得モード設定手段を設けたことを特徴とするものである。
【００１２】
したがって、識別情報の読取指示がなされない状態で原稿の読取指示がなされた場合には、画像の全体に対する露光走査によって得られた画像データのみに基づいた画像が形成され、識別情報の読取指示がなされた状態で原稿の読取指示がなされた場合には、画像データと当該画像データに対応する識別情報とに基づいた画像が形成される。これによって、識別情報の形成、非形成を目的に応じて選択することが可能になる。
【００１３】
請求項４記載の発明は、請求項１、２または３記載の画像形成装置において、上記一部領域を読み取らせる処理によって上記識別情報に対応する画像が上記一部領域に存在しないことが判明した場合に、露光走査用のキャリッジを副走査方向に前記所定距離移動させる毎に上記原稿を露光走査することを特徴とするものである。
【００１４】
したがって、部分画像データに識別情報が含まれていない場合には、キャリッジが副走査方向に所定距離移動され、キャリッジが副走査方向に所定距離移動される毎に原稿が露光走査される。これによって、識別情報が付されている原稿であることにも関わらず、例えばスキュー等の原稿のフィードの誤差によって、最初にキャリッジを固定した位置で識別情報を認識することができない場合にも、オペレーターの操作を介することなく再度原稿の露光走査を行うことが可能になる。
【００１５】
請求項５記載の発明は、請求項４記載の画像形成装置において、上記キャリッジを移動させるときの上記所定距離は、移動する前の上記キャリッジの位置から１０ｍｍ以内であることを特徴とするものである。
【００１６】
したがって、露光走査した部分画像データに識別情報が含まれていない場合には、移動する前の前記キャリッジの位置から１０ｍｍ以内の範囲で、キャリッジが副走査方向に移動される。これによって、識別情報を露光走査するためにキャリッジを移動させることによる所用時間や消費電力量を、原稿の全体を露光走査する場合の所用時間や消費電力量よりも、実用上抑制して請求項４記載の作用を得ることが可能になる。
【００１７】
請求項６記載の発明は、請求項１、２、３、４または５記載の画像形成装置において、上記入力手段に対する入力操作によって上記識別情報の読取指示がなされた場合、上記キャリッジを固定して露光走査する主走査モードと、上記キャリッジを副走査方向に所定範囲走行させて露光走査する副走査モードとを切り替え自在に設定する走査モード設定手段を設けたことを特徴とするものである。
【００１８】
したがって、識別情報の読取指示がなされた状態で原稿の読取指示がなされた場合であって、かつ、走査モード設定手段によって主走査モードが設定されている場合には、キャリッジが位置固定された状態で原稿が露光走査される。また、識別情報の読取指示がなされない状態で原稿の読取指示がなされた場合であって、かつ、走査モード設定手段によって副走査モードが設定されている場合には、キャリッジが副走査方向に所定範囲走行されて原稿が露光走査される。これによって、例えば副走査方向に長い識別情報が付されている場合等には、副走査モードを設定することによって、識別情報が副走査方向に長い場合にも、請求項１、２、３、４または５記載の作用を得ることが可能になる。
【００１９】
【発明の実施の形態】
本発明の第１の実施の形態について図１ないし図４を参照して説明する。本実施の形態は、画像形成装置として複写機への適用例を示す。
【００２０】
図１は、本発明の第１の実施の形態の複写機を示す側断面図である。複写機１は、スキャナ２と、スキャナ２の下側に設けられたプリンタユニット３と、スキャナ２の上側に設けられたオートフィード機構としてのＡＤＦ(Automatic Document Feeder：自動原稿給紙装置)４とからなる。
【００２１】
スキャナ２の上面には、読み取る原稿が載置されるコンタクトガラス５が設けられている。本実施の形態では、コンタクトガラス５の上面が読取位置とされている。特に図示しないが、コンタクトガラス５の下方には、コンタクトガラス５上の原稿の有無を判断するための複数の載置原稿セットセンサが設けられている。公知の技術であるため説明を省略するが、載置原稿セットセンサは例えば反射型光センサ等であり、各載置原稿セットセンサの出力値の変化に基づいて、コンタクトガラス５上の原稿の有無および載置された原稿のサイズを判断する。
【００２２】
コンタクトガラス５の下方には、照明ランプ６およびミラー７を備えてコンタクトガラス５に沿って走行可能なキャリッジとしての第１キャリッジ８、ミラー９，１０を備えてコンタクトガラス５に沿って走行可能な第２キャリッジ１１、結像レンズ１２、ＣＣＤ(Charge Coupled Device)１３等の画像読み取り用の光学系部品１４が設けられている。第１および第２キャリッジ８，１１は、ステッピングモータ等のキャリッジモータ(図示せず)によって駆動されて、図１に示すホームポジション(右側)から左側へ２：１の速度比で走行する。
【００２３】
プリンタユニット３には、用紙を積層する給紙トレイ１５から電子写真方式のプリンタエンジン１６、定着器１７等を経由して排紙スタッカ部１８へ至る用紙搬送路１９が形成されている。プリンタエンジン１６は、プリンタエンジン１６のほぼ中央に設けられた感光体２０、感光体２０の表面を一様に帯電させる帯電器２１、後述するコード識別画像形成処理に際して取得した形成画像データに基づく画像を感光体２０上に露光する露光器２２、露光されることにより感光体２０の表面に形成された潜像にトナーを付着させることで顕像化する現像器２３、用紙搬送路１９中を搬送されてきた用紙に顕像を転写する転写器２４等により形成されている。
【００２４】
ＡＤＦ４は、ＡＤＦ４によってコンタクトガラス５に給紙する原稿が載置される原稿台２５と、読み取りが終了した原稿が排出される排紙部２６とを備えている。特に図示しないが、原稿台２５には、原稿台２５上の原稿の有無を判断するための原稿セットセンサが設けられている。ＡＤＦ４の内部には、原稿台２５から排紙部２６へ連通する原稿搬送経路２７が形成されている。原稿搬送経路２７中には、複数対のローラ２８に巻回された無端帯２９、搬送ローラ３０等の搬送機構３１が設けられている。搬送機構３１は、ステッピングモータ等のＡＤＦモータ(図示せず)によって駆動されて、原稿台２５に載置された原稿を一枚ずつコンタクトガラス５へ向けて搬送する。
【００２５】
ＡＤＦ４の上面には、キーボードとディスプレイ(図２参照)とを備えた本体操作パネル３２が設けられている。特に図示しないが、キーボードには、カーソルキー、コピースタートキー、アボートキー、モードキー等の各種操作キーが設けられている。モードキーは、オペレーターによって操作されることにより、第１のモードとしての通常スキャンモード，第２のモードとしてのコード読取モード等の原稿画像の読み取りにかかる動作モードを設定するため、モード設定手段としての機能の一部を実現する。また、モードキーは、オペレーターによって操作されることにより、第１の取得モードとしての識別コード非転記モード，第２の取得モードとしての識別コード転記モード等の画像形成にかかる動作モードを設定するため、取得モード設定手段としての機能を実現する。
【００２６】
ディスプレイには、実行する動作モードでの各種動作条件を設定するための各種表示画面が表示される。ここで、図２は、各種表示画面の一つとして、読取位置指定画面３３が表示されている状態のディスプレイを示す平面図である。本実施の形態では、読取位置指定画面３３は、コード読取モードを設定するためのモードキーの操作により表示させることができる。読取位置指定画面３３には、原稿に付されている識別情報としての識別コードの位置を指定するための複数のコード位置情報３４が付された原稿Ｇが模式的に表示されている。
【００２７】
ここで、識別コードとは、通常スキャンモードで露光走査した原稿全体の画像データを特定するための情報であり、一定の規則に従ってコード化された特定の配列を有している。識別コードは、例えば原稿画像を露光走査した年月日に基づいて作成した情報であってもよいし、予め設定されている複数の識別コードから適宜選択されたものであってもよい。
【００２８】
読取位置指定画面３３では、表示されている各コード位置情報３４の近傍に、それぞれのコード位置情報３４を特定するための番号３４ａが付されている。オペレーターは、読取位置指定画面３３が表示されている状態で目的とする番号３４ａをテンキー等の操作により指定することで、特定のコード位置情報３４を指定することができる。
【００２９】
次に、図３を参照して、複写機１が備える各部についての概略を説明する。図３は複写機１が備える各部の電気的接続、および、画像データの流れを概略的に示すブロック図である。複写機１は、複写機１内の各部を集中的に駆動制御するメイン制御部３５を有している。特に図示しないが、メイン制御部３５は、複写機１内の各部を集中的に駆動制御するＣＰＵと、制御プログラム等のデータを予め格納するＲＯＭと、ＣＰＵの作業エリアとして機能するＲＡＭとをバス接続することにより構成されている。このメイン制御部３５には、本体操作パネル制御部３６、スキャナユニット制御部３７、プリンタユニット制御部３８、内部記憶装置３９等が接続されている。
【００３０】
特に図示しないが、内部記憶装置３９には、ＣＣＤ１３で光電変換された画像データと、この画像データを特定するための識別コードとを対応づけて記憶する画像データ管理ファイルが格納されており、本実施の形態では内部記憶装置３９が記憶部としての機能を実現する。また、内部記憶装置３９には、上述した各コード位置情報３４と第１および第２キャリッジ８，１１のホームポジションからの移動距離にかかる移動距離情報とを対応づけて記憶する移動距離情報ファイルが格納されている。移動距離情報とは、指定されたコード位置情報３４によって特定される識別コードの読取位置を露光走査することができる位置まで、第１および第２キャリッジ８，１１をホームポジションから移動させる距離を設定する情報である。
【００３１】
加えて、特に図示しないが、メイン制御部３５には、原稿セットセンサ、載置原稿セットセンサ等の各種センサ類が接続されている。各種センサ類の出力値はメイン制御部３５に入力され、メイン制御部３５は各種センサ類からの出力値に応じて所定の処理を実行する。
【００３２】
本体操作パネル制御部３６は、本体操作パネル３２におけるキーボードでの入力操作に応じた入力信号を、メイン制御部３５に対して出力する。また、本体操作パネル制御部３６は、メイン制御部３５から出力される表示データに基づく情報をディスプレイに表示させる。
【００３３】
スキャナユニット制御部３７は、ＣＣＤ１３で光学的に読み取った原稿の画像データを電気信号に変換した画像データとしてメイン制御部３５へ出力する。このスキャナユニット制御部３７にはＡＤＦ制御部４０が接続されており、ＡＤＦ制御部４０はスキャナユニット制御部３７から出力される信号に応じて、図示しないＡＤＦモータを駆動することで原稿をコンタクトガラス５上までフィードする。
【００３４】
プリンタユニット制御部３８は、メイン制御部３５から出力された画像データが入力されると、プリンタユニット３内の各部を駆動制御し、給紙トレイ１５からタイミング調整されて搬送された用紙に対して、後述するコード識別画像形成処理で取得される形成画像データに基づく画像を形成する。
【００３５】
公知の技術であるため動作自体の説明を省略するが、上述した複写機１では、モードキーの操作によって通常スキャンモードが設定されている場合にコピースタートキーが押し下げられると、コンタクトガラス５に沿って第１および第２キャリッジ８，１１を走行させることにより原稿全体の画像を露光走査する通常スキャン処理を実行する。また、詳細は後述するが、上述した複写機１では、モードキーの操作によってコード読取モードが設定されている場合、移動距離情報ファイルを参照して、指定されたコード位置情報３４に対応する距離情報に基づいて第１および第２キャリッジ８，１１を移動させ、移動させた位置に第１および第２キャリッジ８，１１を固定した状態でコンタクトガラス５上に載置された原稿の一部の画像を露光走査する。
【００３６】
次に、複写機１が実行するコード識別画像形成処理について図４を参照して説明する。図４は、コード識別画像形成処理を概略的に示すフローチャートである。コード識別画像形成処理では、コピースタートキーの押し下げがあったと判断するまで待機しており(Ｓ１のＮ)、コピースタートキーの押し下げがあったと判断した場合には(Ｓ１のＹ)、上述したコード読取モードが設定されているか否かを判断する(Ｓ２)。
【００３７】
ステップＳ２で、コード読取モードが設定されていないと判断した場合には(Ｓ２のＮ)、通常コピー処理を実行する。
【００３８】
公知の技術であるため詳細な説明を省略するが、通常コピー処理では、コピースタートキーの押し下げに応じて、上述した通常スキャン処理で露光走査した原稿の画像データに基づいてプリンタエンジン１６を駆動し、この画像を給紙トレイ１５から搬送された用紙に形成する。
【００３９】
一方、ステップＳ２で、コード読取モードが設定されていると判断した場合には(Ｓ２のＹ)、原稿セットセンサの出力値に基づいて、原稿台２５に原稿が載置されているか否かを判断する(Ｓ３)。
【００４０】
ステップＳ３で、原稿セットセンサの出力値に基づいて、原稿台２５に原稿が載置されていると判断した場合には(Ｓ３のＹ)、上述のように指定された識別コード位置に基づいて図示しないキャリッジモータ、ＡＤＦモータをそれぞれ所定パルス数分だけ駆動し(Ｓ４)、照明ランプ６を点灯する(Ｓ５)。ここに、読取手段としての機能が実行される。これにより、第１および第２キャリッジ８，１１が識別コードの下方の所定の位置に位置するように移動されるとともに、搬送ローラ等の搬送部が駆動されて原稿台２５に載置された原稿がコンタクトガラス５へ向けて搬送された状態で原稿の一部が照射され、原稿からの反射光がＣＣＤ１３に結像される。以降、ステップＳ５で露光走査した原稿の一部の画像データを、部分画像データとする。
【００４１】
加えて、ステップＳ５で露光走査した部分画像データを解析して(Ｓ６)、解析した部分画像データ中に特定の配列を有するデータがあるか否かを判断することにより、露光走査した部分画像データ中に識別コードが含まれるか否かを判断する(Ｓ７)。ここに、判断手段としての機能が実行される。
【００４２】
ステップＳ７で、ステップＳ６で解析した部分画像データに識別コードが含まれると判断した場合には(Ｓ７のＹ)、画像データ管理ファイルを検索して(Ｓ８)、画像データ管理ファイル中にステップＳ６で解析した識別コードと同一の識別コードがあるか否かを判断する(Ｓ９)。ここに、記憶判断手段としての機能が実行される。
【００４３】
ステップＳ９で、画像データ管理ファイル中にステップＳ６で解析した識別コードと同一の識別コードがあると判断した場合には(Ｓ９のＹ)、同一の識別コードと判断された識別コードが対応づけられた画像データを形成画像データとして、画像データ管理ファイルより取得する(Ｓ１０)。ここに、形成画像データ取得手段としての機能の一部が実行される。
【００４４】
一方、ステップＳ３で、原稿台２５に原稿が載置されていないと判断した場合(Ｓ３のＮ)、載置原稿セットセンサの出力値に基づいて、コンタクトガラス５上に原稿が載置されているか否かを判断し(Ｓ１１)、コンタクトガラス５上に原稿が載置されていないと判断した場合には(Ｓ１１のＮ)、コード識別画像形成処理を終了する。
【００４５】
ところで、ステップＳ１１でコンタクトガラス５上に原稿が載置されていると判断した場合(Ｓ１１のＹ)、ステップＳ７で解析した部分画像データに識別コードが含まれないと判断した場合(Ｓ７のＮ)、あるいは、ステップＳ９で管理ファイル中にステップＳ６で解析した識別コードと同一の識別コードがないと判断した場合には(Ｓ９のＮ)、設定モードを通常スキャンモードに切り替え、ステップＳ１２に進み、上述した通常スキャン処理を実行する。ここに、モード設定手段としての機能の一部が実行される。
【００４６】
加えて、ステップＳ１２で通常スキャン処理で取得した画像データに、この画像データに固有の識別コードを付与して、画像データ管理ファイルに記憶し(Ｓ１３)、ステップＳ１４に進む。ここに、画像データ記憶手段としての機能が実行される。
【００４７】
また、ステップＳ１３で画像データ管理ファイルに記憶した画像データを形成画像データとして取得する。ここに、形成画像データ取得手段としての機能の一部が実行される。
【００４８】
ステップＳ１４では、画像形成モードが識別コード転記モードに設定されているか否かを判断し(Ｓ１４)、画像形成モードが識別コード転記モードに設定されていると判断した場合には(Ｓ１４のＹ)、ステップＳ１０で取得した形成画像データにステップＳ６で解析した識別コードを組み合わせた画像データ、あるいは、ステップＳ１３で取得した形成画像データに対応する識別コードを組み合わせた画像データに基づいて画像形成処理を実行する(Ｓ１５)。ここに、画像形成手段としての機能が実行される。
【００４９】
一方、ステップＳ１４で、画像形成モードが識別コード転記モードに設定されていないと判断した場合には(Ｓ１４のＮ)、ステップＳ１０で取得した形成画像データ、あるいは、ステップＳ１３で記憶した形成画像データに基づいて画像形成処理を実行する(Ｓ１６)。ここに、画像形成手段としての機能が実行される。
【００５０】
公知の技術であるため詳細な説明を省略するが、ステップＳ１５，ステップＳ１６で実行する各画像形成処理では、それぞれの形成画像データに基づいてプリンタエンジン１６を駆動し、給紙トレイ１５からタイミング調整して搬送した用紙に所定の画像を形成して出力される。
【００５１】
ここに、通常スキャンモードが設定されている場合には、原稿の全体の画像データと識別コードとが対応づけて画像データ管理ファイルに記憶され、コード読取モードが設定されている場合には、ＡＤＦ４によって原稿がコンタクトガラス５上にフィードされる毎に、原稿の一部の部分画像データが取得され、取得された部分画像データに識別コードが含まれ、この識別コードと同一の識別コードが画像データ管理ファイルに記憶されている場合には、この識別コードに対応づけられた画像データに基づいた画像が形成される。
【００５２】
これによって、以前に露光走査した原稿の画像を形成する場合には、第１および第２キャリッジ８，１１を走行させずに、記憶されている画像データに基づいて画像を形成することが可能になるので、画像形成にかかる所用時間を短縮して、処理速度の向上を図ることができる。また、第１および第２キャリッジ８，１１を走行させずに識別情報を露光走査することにより電力の消費量の低減を図ることができる。
【００５３】
また、識別コード非転記モードの設定下では画像データのみに基づいた画像が形成され、識別コード転記モードの設定下では画像データと当該画像データに対応する識別コードとに基づいた画像が形成される。
【００５４】
これによって、出力する画像に対して、識別コードの形成，非形成を目的に応じて選択することが可能になるので、汎用性の高い複写機１を提供することができる。
【００５５】
ステップＳ１１で画像形成モードが識別コード転記モードに設定されていないと判断した場合には(Ｓ１１のＮ)、ステップＳ１３に進む。
【００５６】
ここに、該当する識別コードがないために通常スキャン処理が実行された場合には、原稿の全体の画像データが形成画像データとして取得される。
【００５７】
これによって、複数枚の原稿を露光走査する場合に、例えば識別コードの欠落あるいはスキュー等によって識別コードを認識することができない原稿が一部ある場合にも、オペレーターによる操作を介する等の処理の中断を生じさせることなく、目的とする画像を形成することが可能になるので、複数枚の原稿を露光走査する場合にも、画像形成にかかる所用時間を短縮して、処理速度の向上を図ることができる。
【００５８】
なお、本実施の形態では、複写機１内の内部記憶装置３９を記憶部とし、この内部記憶装置３９内に画像データ管理ファイルを格納するようにしたがこれに限るものではなく、図５に示すように、画像データ管理ファイルを例えばＦＤ等の記憶媒体に記憶させ、複写機１のメイン制御部３５にＦＤに対して情報の読書き自在なＦＤＤ３９ａを外部接続して、ＦＤに記憶されている管理ファイルをＦＤＤ３９ａによって読み出すことによって、上述と同様の機能を実行させることも可能である。このとき、ＦＤＤ３９ａに装着されたＦＤが記憶部とされ、ＦＤＤ３９ａが画像データ記憶手段としての機能を実現する。
【００５９】
次に、本発明の第２の実施の形態について図６および図７を参照して説明する。第２の実施の形態では、照明ランプ６と原稿との間で相対的な移動がない状態では識別コード全体を照射することができない程度に、副走査方向に長い識別コードを読み取る点が、第１の実施の形態と異なる点である。なお、第１の実施の形態と同一部分は同一符号で示し、説明も省略する。
【００６０】
ここで、図６は、本発明の第２の実施の形態の読取位置指定画面３３を示す平面図である。読取位置指定画面３３には、図６に示すように、コード位置情報３４が付された原稿Ｇが模式的に表示されている。本実施の形態の識別コードは、副走査方向に長く、各コード位置情報３４には、第１の実施の形態と同様に、それぞれのコード位置情報３４を特定するための番号３４ａが付されている。
【００６１】
本実施の形態では、モードキーは、オペレーターによって操作されることにより、主走査モード，副走査モード等の原稿画像の読み取りにかかる第１および第２キャリッジ８，１１の動作モードを設定するため、走査モード設定手段としての機能を実現する。
【００６２】
図７は、コード識別画像形成処理を概略的に示すフローチャートである。ステップＴ１からステップＴ４までの処理は、図４のステップＳ１からステップＳ４までの処理と同様の処理を実行し、上述のように指定された識別コードが副走査方向に長い識別コードであるか否かを判断する(Ｔ５)。
【００６３】
ステップＴ５で、指定された識別コードが副走査方向に長い識別コードではないと判断した場合には(Ｔ５のＮ)、図４のステップＳ５と同様に、第１および第２キャリッジ８，１１を走行させずに照明ランプ６のみを点灯する(Ｔ６)。
【００６４】
一方、ステップＴ５で、指定された識別コードが副走査方向に長い識別コードであると判断した場合には(Ｔ５のＹ)、照明ランプ６を点灯するとともに予め設定されているパルス数分キャリッジモータを駆動する(Ｔ７)。これにより、予め設定されている範囲分第１および第２キャリッジ８，１１が走行され、第１および第２キャリッジ８，１１が走行した部分の原稿が露光走査される。
【００６５】
次いで、ステップＴ８からステップＴ１８において、図４のステップＳ６からステップＳ１６と同様な処理を実行する。
【００６６】
ここに、コード読取モードおよび主走査モードが設定されている場合には、第１および第２キャリッジ８，１１が位置固定された状態で原稿が露光走査され、コード読取モードおよび副走査モードが設定されている場合には、第１および第２キャリッジ８，１１が副走査方向に所定範囲走行されて原稿が露光走査される。
【００６７】
これによって、例えば副走査方向に長い識別情報が付されている場合等には、副走査モードを設定することによって、識別情報が副走査方向に長い場合にも、請求項１、２、３、４または５記載の作用を得ることができる。これによって、汎用性の高い画像形成装置を得ることができる。
【００６８】
次に、本発明の第３の実施の形態について図８を参照して説明する。第３の実施の形態では、コード読取モードの設定下で識別コードの判別が不可能であった場合に、第１および第２キャリッジ８，１１が副走査方向に移動して、再度原稿を露光走査する点が第１の実施の形態と異なる点である。
【００６９】
図８は、本発明の第３の実施の形態の複写機１におけるコード識別画像形成処理を概略的に示すフローチャートである。コード識別画像形成処では、ステップＵ１からステップＵ１６までは、図４に示すステップＳ１からステップＳ１６までと同様の処理を実行する。
【００７０】
ステップＵ７で、露光走査した画像中に識別コードが含まれないと判断した場合には(Ｕ７のＮ)、キャリッジモータを所定パルス数分駆動し(Ｕ１７)、照明ランプ６を点灯する(Ｕ１８)。ここに、移動手段としての機能が実行される。これにより、第１および第２キャリッジ８，１１が副走査方向へ移動された状態で、原稿画像が露光走査される。
【００７１】
なお、本実施の形態では、第１キャリッジのホームポジションからの移動距離は、１０ｍｍとした。これによって、識別コードを露光走査するために第１および第２キャリッジ８，１１を移動させることによる所用時間や消費電力量を、原稿の全体を露光走査する場合の所用時間や消費電力量よりも、実用上抑制した上で、上述と同様の効果を得ることができる。
【００７２】
そして、ステップＵ６，ステップＵ７と同様に、再度露光走査した部分画像データを解析し(Ｕ１９)、解析した部分画像データ中に識別コードが含まれるか否かを判断し(Ｕ２０)、解析した部分画像データ中に識別コードが含まれると判断した場合には(Ｕ１８のＹ)、ステップＵ８に進む。
【００７３】
一方、ステップＵ２０で、解析した部分画像データ中に識別コードが含まれないと判断した場合には(Ｕ２０のＮ)、ステップＵ１２に進み、通常スキャン処理および露光走査した画像データを記憶する。
【００７４】
ここに、部分画像データに識別コードが含まれていない場合には、第１および第２キャリッジ８，１１が副走査方向に所定距離移動され、第１および第２キャリッジ８，１１が移動される毎に原稿が露光走査される。
【００７５】
これによって、識別コードが付されている原稿であることにも関わらず、例えばスキュー等の原稿のフィードの誤差によって、最初に第１および第２キャリッジ８，１１を固定した位置で識別コードを認識することができない場合にも、オペレーターの操作を介することなく再度原稿の露光走査を行うことが可能になるので、煩雑な操作を必要とせず第１の実施の形態と同様の効果を得ることができるとともに、操作性の良好な画像形成装置を提供することができる。
【００７６】
【発明の効果】
請求項１に記載の発明によれば、識別情報の読取指示がなされない状態で上記原稿の読取指示がなされた場合に、部分画像データに識別情報が含まれていないと判断されたり、部分画像データに含まれている識別情報と同一のものが記憶手段に記憶されていないと判断されたりすると、原稿の全体の画像データと識別情報とを対応づけて記憶する。また、識別情報読取モードが設定され、識別情報の読取指示がなされない状態で上記原稿の読取指示がなされた場合であって、且つこの識別情報と同一の識別情報が記憶手段に記憶されている場合には、この識別情報に対応づけられた画像データに基づいた画像を形成することにより、以前に露光走査した原稿の画像を形成する場合には、キャリッジを走行させずに、記憶されている画像データに基づいて画像を形成することが可能になるので、画像形成にかかる所用時間を短縮して、処理速度の向上を図ることができる。また、キャリッジを走行させずに識別情報を露光走査することにより電力の消費量の低減を図ることができる。
【００７８】
請求項３記載の発明によれば、請求項１又は２記載の画像形成装置において、識別情報の読取指示がなされない状態で原稿の読取指示がなされた場合に、画像の全体に対する露光走査によって得られた画像データのみに基づいた画像を形成するモードや、識別情報の読取指示がなされた状態で原稿の読取指示がなされた場合に、画像データと当該画像データに対応する識別情報とに基づいた画像を形成するモードを実行することにより、識別情報の形成、非形成を目的に応じて選択することが可能になるので、汎用性の高い画像形成装置を提供することができる。
【００７９】
請求項４記載の発明によれば、請求項１、２または３記載の画像形成装置において、部分画像データに識別情報が含まれていない場合には、キャリッジを副走査方向に所定距離移動し、移動する毎に原稿を露光走査することにより、識別情報が付されている原稿であることにも関わらず、例えばスキュー等の原稿のフィードの誤差によって、最初にキャリッジを固定した位置で識別情報を認識することができない場合にも、オペレーターの操作を介することなく再度原稿の露光走査を行うことが可能になるので、煩雑な操作を必要とせず請求項１、２または３記載の効果を得ることができるとともに、操作性の良好な画像形成装置を提供することができる。
【００８０】
請求項５記載の発明によれば、請求項４記載の画像形成装置において、露光走査した部分画像データに識別情報が含まれていない場合には、移動する前のキャリッジの位置から１０ｍｍ以内の範囲で、キャリッジを副走査方向に移動することにより、識別情報を露光走査するためにキャリッジを移動させることによる所用時間や消費電力量を、原稿の全体を露光走査する場合の所用時間や消費電力量よりも、実用上抑制して請求項４記載の作用を得ることができる。
【００８１】
請求項６記載の発明によれば、請求項１、２、３、４または５記載の画像形成装置において、識別情報の読取指示がなされた状態で原稿の読取指示がなされた場合であって、且つ主走査モードが設定されている場合には、キャリッジが位置固定された状態で原稿を露光走査し、識別情報の読取指示がなされない状態で原稿の読取指示がなされた場合であって、且つ副走査モードが設定されている場合には、キャリッジを副走査方向に所定範囲走行させて原稿を露光走査することにより、例えば副走査方向に長い識別情報が付されている場合等には、副走査モードを設定することによって、識別情報が副走査方向に長い場合にも、請求項１、２、３、４または５記載の作用を得ることができる。これによって、汎用性の高い画像形成装置を得ることができる。
【図面の簡単な説明】
【図１】本発明の第１の実施の形態の複写機を示す側断面図である。
【図２】表示部を示す平面図である。
【図３】複写機が備える各部の電気的接続、および、画像データの流れを概略的に示すブロック図である。
【図４】コード識別画像形成処理を概略的に示すフローチャートである。
【図５】第１の実施の形態の変形例を示すブロック図である。
【図６】本発明の第２の実施の形態の読取位置指定画面を示す平面図である。
【図７】コード識別画像形成処理を概略的に示すフローチャートである。
【図８】本発明の第３の実施の形態のコード識別画像形成処理を概略的に示すフローチャートである。
【符号の説明】
１          画像形成装置
４          オートフィード機構
８，１１    キャリッジ
１４          光学系部品
３９          記憶部
【図１】
0004058228.tif 000002
【図２】
0004058228.tif 000003
【図３】
0004058228.tif 000004
【図４】
0004058228.tif 000005
【図５】
0004058228.tif 000006
【図６】
0004058228.tif 000007
【図７】
0004058228.tif 000008
【図８】
0004058228.tif 000009